【手続補正書】
【提出日】平成15年7月18日(2003.7.18)
【手続補正１】
【補正対象書類名】明細書
【補正対象項目名】発明の名称
【補正方法】変更
【補正の内容】
【発明の名称】情報記録装置及び方法、情報再生装置及び方法並びに情報処理装置及び方法
【手続補正２】
【補正対象書類名】明細書
【補正対象項目名】特許請求の範囲
【補正方法】変更
【補正の内容】
【特許請求の範囲】
【請求項１】
映像情報を含む記録情報に対して所定の信号処理を施して処理記録情報を生成すると共に、前記処理記録情報を構成する情報単位毎に記録位置情報及び映像有無情報を含む検索情報を生成する信号処理手段と、
前記処理記録情報と前記検索情報とを多重して多重情報を出力する多重手段と、
前記多重情報を記録媒体に記録する記録手段と、
を備え、
前記記録位置情報は、前記記録情報の再生時間軸上において一の前記情報単位からみて所定範囲に存在する他の情報単位の位置を示し、
前記映像有無情報は、前記記録位置情報によって前記位置が示される前記情報単位における前記映像情報の有無を示し、
一又は複数の前記情報単位により一のインターリーブドユニットが構成され、
前記一のインターリーブドユニット内においては、一又は複数の前記情報単位が完結するように構成されていることを特徴とする情報記録装置。
【請求項２】
請求項１に記載の情報記録装置において、
前記映像有無情報は、一の前記情報単位において所定の再生時間の範囲内における前記映像情報の有無を示すことを特徴とする情報記録装置。
【請求項３】
請求項１又は２に記載の情報記録装置において、
前記映像情報は、動画に対応する映像情報と静止画に対応する映像情報とを含み、
前記映像有無情報は、動画又は静止画に対応する前記映像情報の有無を示す情報であることを特徴とする情報記録装置。
【請求項４】
請求項１乃至３のいずれか１に記載の情報記録装置において、
前記記録媒体はマスタディスクであることを特徴とする情報記録装置。
【請求項５】
請求項４に記載の情報記録装置において、
前記マスタディスクを用いてレプリカディスクを製造する手段を更に備えたことを特徴とする情報記録装置。
【請求項６】
請求項５に記載の情報記録装置により製造されたレプリカディスク。
【請求項７】
各々が映像情報を含むと共に夫々が一又は複数の情報単位により構成されている複数のインターリーブドユニットと、
各前記情報単位に対応して記録位置情報及び映像有無情報を含む検索情報と、
が記録されている情報記録媒体であって、
前記記録位置情報が前記記録情報の再生時間軸上において一の前記情報単位からみて所定範囲に存在する他の前記情報単位の位置を示し、
前記映像有無情報が前記記録位置情報によって前記位置が示される前記情報単位における前記映像情報の有無を示し、
一の前記インターリーブドユニット内においては、一又は複数の前記情報単位が完結するように構成されている情報記録媒体から情報を再生する情報再生装置であって、
制御信号に基づいて前記情報記録媒体から検出された検出信号を復調し、復調信号を出力する検出復調手段と、
前記復調信号から前記検索情報を抽出する抽出手段と、
前記抽出された検索情報に基づいて、前記制御信号を出力する制御手段と、
を備えたことを特徴とする情報再生装置。
【請求項８】
請求項７に記載の情報再生装置において、
前記映像有無情報は、一の前記情報単位において所定の再生時間の範囲内における前記映像情報の有無を示すことを特徴とする情報再生装置。
【請求項９】
請求項７又は８に記載の情報再生装置において、
前記映像情報は、動画に対応する映像情報と静止画に対応する映像情報とを含み、
前記映像有無情報は、動画又は静止画に対応する前記映像情報の有無を示す情報であり、
前記動画に対応する映像情報及び前記静止画に対応する映像情報を復調するビデオデコーダを更に備えることを特徴とする情報再生装置。
【請求項１０】
請求項７乃至９のいずれか１に記載の情報再生装置において、
映像を出力しながらのスキャン動作の実行を指示するための入力手段と、
前記スキャン動作の実行が指示されたとき、前記記録位置情報及び前記映像有無情報に基づいて再生すべき前記映像情報を含む前記情報単位を検索する検索手段と、
を更に備えることを特徴とする情報再生装置。
【請求項１１】
請求項７乃至９のいずれか１に記載の情報再生装置において、
指定された時刻の映像を出力する動作の実行を指示するための入力手段と、
前記動作の実行が指示されたときに、前記記録位置情報及び前記映像有無情報に基づいて、再生すべき前記映像情報を含む前記情報単位を検索する検索手段と、
を更に備えることを特徴とする情報再生装置。
【請求項１２】
映像情報を含む記録情報に対して所定の信号処理を施して処理記録情報を生成すると共に、前記処理記録情報を構成する情報単位毎に記録位置情報及び映像有無情報を含む検索情報を生成する信号処理手段と、
前記処理記録情報と前記検索情報とを多重して多重情報を出力する多重手段と、
を備え、
前記記録位置情報は、前記記録情報の再生時間軸上において一の前記情報単位からみて所定範囲に存在する他の情報単位の位置を示し、
前記映像有無情報は、前記記録位置情報によって前記位置が示される前記情報単位における前記映像情報の有無を示し、
一又は複数の前記情報単位により一のインターリーブドユニットが構成され、
前記一のインターリーブドユニット内においては、一又は複数の前記情報単位が完結するように構成されていることを特徴とする情報処理装置。
【請求項１３】
請求項１２に記載の情報処理装置において、
前記映像有無情報は、一の前記情報単位において所定の再生時間の範囲内における前記映像情報の有無を示すことを特徴とする情報処理装置。
【請求項１４】
請求項１２又は１３に記載の情報処理装置において、
前記映像情報は、動画に対応する映像情報と静止画に対応する映像情報とを含み、
前記映像有無情報は、動画又は静止画に対応する前記映像情報の有無を示す情報であることを特徴とする情報処理装置。
【請求項１５】
映像情報を含む記録情報に対して所定の信号処理を施して処理記録情報を生成すると共に、前記処理記録情報を構成する情報単位毎に記録位置情報及び映像有無情報を含む検索情報を生成する信号処理工程と、
前記処理記録情報と前記検索情報とを多重して多重情報を出力する多重工程と、
前記多重情報を記録媒体に記録する記録工程と、
を備え、
前記記録位置情報は、前記記録情報の再生時間軸上において一の前記情報単位からみて所定範囲に存在する他の情報単位の位置を示し、
前記映像有無情報は、前記記録位置情報によって前記位置が示される前記情報単位における前記映像情報の有無を示し、
一又は複数の前記情報単位により一のインターリーブドユニットが構成され、
前記一のインターリーブドユニット内においては、一又は複数の前記情報単位が完結するように構成されていることを特徴とする情報記録方法。
【請求項１６】
請求項１５に記載の情報記録方法において、
前記映像有無情報は、一の前記情報単位において所定の再生時間の範囲内における前記映像情報の有無を示すことを特徴とする情報記録方法。
【請求項１７】
請求項１５又は１６に記載の情報記録方法において、
前記映像情報は、動画に対応する映像情報と静止画に対応する映像情報とを含み、
前記映像有無情報は、動画又は静止画に対応する前記映像情報の有無を示す情報であることを特徴とする情報記録方法。
【請求項１８】
請求項１５乃至１７のいずれか１に記載の情報記録方法において、
前記記録媒体はマスタディスクであることを特徴とする情報記録方法。
【請求項１９】
請求項１８に記載の情報記録方法において、
前記マスタディスクを用いてレプリカディスクを製造する工程を更に備えたことを特徴とする情報記録方法。
【請求項２０】
請求項１９に記載の情報記録方法により製造されたレプリカディスク。
【請求項２１】
各々が映像情報を含むと共に夫々が一又は複数の情報単位により構成されている複数のインターリーブドユニットと、
各前記情報単位に対応して記録位置情報及び映像有無情報を含む検索情報と、
が記録されている情報記録媒体であって、
前記記録位置情報が前記記録情報の再生時間軸上において一の前記情報単位からみて所定範囲に存在する他の前記情報単位の位置を示し、
前記映像有無情報が前記記録位置情報によって前記位置が示される前記情報単位における前記映像情報の有無を示し、
一の前記インターリーブドユニット内においては、一又は複数の前記情報単位が完結するように構成されている情報記録媒体から情報を再生する情報再生方法であって、
制御信号に基づいて前記情報記録媒体から検出された検出信号を復調し、復調信号を出力する検出復調工程と、
前記復調信号から前記検索情報を抽出する抽出工程と、
前記抽出された検索情報に基づいて、前記制御信号を出力する制御工程と、
を備えたことを特徴とする情報再生方法。
【請求項２２】
請求項２１に記載の情報再生方法において、
前記映像有無情報は、一の前記情報単位において所定の再生時間の範囲内における前記映像情報の有無を示すことを特徴とする情報再生方法。
【請求項２３】
請求項２１又は２２に記載の情報再生方法において、
前記映像情報は、動画に対応する映像情報と静止画に対応する映像情報とを含み、
前記映像有無情報は、動画又は静止画に対応する前記映像情報の有無を示す情報であり、
前記動画に対応する映像情報及び前記静止画に対応する映像情報を復調するビデオデコーダを更に備えることを特徴とする情報再生方法。
【請求項２４】
請求項２１乃至２３のいずれか１に記載の情報再生方法において、
映像を出力しながらのスキャン動作の実行を指示するための入力工程と、
前記スキャン動作の実行が指示されたとき、前記記録位置情報及び前記映像有無情報に基づいて再生すべき前記映像情報を含む前記情報単位を検索する検索工程と、
を更に備えることを特徴とする情報再生方法。
【請求項２５】
請求項２１乃至２３のいずれか１に記載の情報再生方法において、
指定された時刻の映像を出力する動作の実行を指示するための入力工程と、
前記動作の実行が指示されたときに、前記記録位置情報及び前記映像有無情報に基づいて、再生すべき前記映像情報を含む前記情報単位を検索する検索工程と、
を更に備えることを特徴とする情報再生方法。
【請求項２６】
映像情報を含む記録情報に対して所定の信号処理を施して処理記録情報を生成すると共に、前記処理記録情報を構成する情報単位毎に記録位置情報及び映像有無情報を含む検索情報を生成する信号処理工程と、
前記処理記録情報と前記検索情報とを多重して多重情報を出力する多重工程と、
を備え、
前記記録位置情報は、前記記録情報の再生時間軸上において一の前記情報単位からみて所定範囲に存在する他の情報単位の位置を示し、
前記映像有無情報は、前記記録位置情報によって前記位置が示される前記情報単位における前記映像情報の有無を示し、
一又は複数の前記情報単位により一のインターリーブドユニットが構成され、
前記一のインターリーブドユニット内においては、一又は複数の前記情報単位が完結するように構成されていることを特徴とする情報処理方法。
【請求項２７】
請求項２６に記載の情報処理方法において、
前記映像有無情報は、一の前記情報単位において所定の再生時間の範囲内における前記映像情報の有無を示すことを特徴とする情報処理方法。
【請求項２８】
請求項２６又は２７に記載の情報処理方法において、
前記映像情報は、動画に対応する映像情報と静止画に対応する映像情報とを含み、
前記映像有無情報は、動画又は静止画に対応する前記映像情報の有無のいずれか一方を示す情報であることを特徴とする情報処理方法。
【手続補正３】
【補正対象書類名】明細書
【補正対象項目名】００１２
【補正方法】変更
【補正の内容】
【００１２】
【課題を解決するための手段】
上記の課題を解決するために、請求項１に記載の発明は、映像情報を含む記録情報に対して所定の信号処理を施して処理記録情報を生成すると共に、前記処理記録情報を構成する情報単位毎に記録位置情報及び映像有無情報を含む検索情報を生成する信号処理手段と、前記処理記録情報と前記検索情報とを多重して多重情報を出力する多重手段と、前記多重情報を記録媒体に記録する記録手段と、を備え、前記記録位置情報は、前記記録情報の再生時間軸上において一の前記情報単位からみて所定範囲に存在する他の情報単位の位置を示し、前記映像有無情報は、前記記録位置情報によって前記位置が示される前記情報単位における前記映像情報の有無を示し、一又は複数の前記情報単位により一のインターリーブドユニットが構成され、前記一のインターリーブドユニット内においては、一又は複数の前記情報単位が完結するように構成されている。
【手続補正４】
【補正対象書類名】明細書
【補正対象項目名】００１３
【補正方法】変更
【補正の内容】
【００１３】
上記の課題を解決するために、請求項７に記載の発明は、各々が映像情報を含むと共に夫々が一又は複数の情報単位により構成されている複数のインターリーブドユニットと、各前記情報単位に対応して記録位置情報及び映像有無情報を含む検索情報と、が記録されている情報記録媒体であって、前記記録位置情報が前記記録情報の再生時間軸上において一の前記情報単位からみて所定範囲に存在する他の前記情報単位の位置を示し、前記映像有無情報が前記記録位置情報によって前記位置が示される前記情報単位における前記映像情報の有無を示し、一の前記インターリーブドユニット内においては、一又は複数の前記情報単位が完結するように構成されている情報記録媒体から情報を再生する情報再生装置であって、制御信号に基づいて前記情報記録媒体から検出された検出信号を復調し、復調信号を出力する検出復調手段と、前記復調信号から前記検索情報を抽出する抽出手段と、前記抽出された検索情報に基づいて、前記制御信号を出力する制御手段と、を備える。
【手続補正５】
【補正対象書類名】明細書
【補正対象項目名】００１４
【補正方法】変更
【補正の内容】
【００１４】
上記の課題を解決するために、請求項１２に記載の発明は、映像情報を含む記録情報に対して所定の信号処理を施して処理記録情報を生成すると共に、前記処理記録情報を構成する情報単位毎に記録位置情報及び映像有無情報を含む検索情報を生成する信号処理手段と、前記処理記録情報と前記検索情報とを多重して多重情報を出力する多重手段と、を備え、前記記録位置情報は、前記記録情報の再生時間軸上において一の前記情報単位からみて所定範囲に存在する他の情報単位の位置を示し、前記映像有無情報は、前記記録位置情報によって前記位置が示される前記情報単位における前記映像情報の有無を示し、一又は複数の前記情報単位により一のインターリーブドユニットが構成され、前記一のインターリーブドユニット内においては、一又は複数の前記情報単位が完結するように構成されている。
【手続補正６】
【補正対象書類名】明細書
【補正対象項目名】００１５
【補正方法】変更
【補正の内容】
【００１５】
上記の課題を解決するために、請求項１５に記載の発明は、映像情報を含む記録情報に対して所定の信号処理を施して処理記録情報を生成すると共に、前記処理記録情報を構成する情報単位毎に記録位置情報及び映像有無情報を含む検索情報を生成する信号処理工程と、前記処理記録情報と前記検索情報とを多重して多重情報を出力する多重工程と、前記多重情報を記録媒体に記録する記録工程と、を備え、前記記録位置情報は、前記記録情報の再生時間軸上において一の前記情報単位からみて所定範囲に存在する他の情報単位の位置を示し、前記映像有無情報は、前記記録位置情報によって前記位置が示される前記情報単位における前記映像情報の有無を示し、一又は複数の前記情報単位により一のインターリーブドユニットが構成され、前記一のインターリーブドユニット内においては、一又は複数の前記情報単位が完結するように構成されている。
【手続補正７】
【補正対象書類名】明細書
【補正対象項目名】００１６
【補正方法】変更
【補正の内容】
【００１６】
上記の課題を解決するために、請求項２１に記載の発明は、各々が映像情報を含むと共に夫々が一又は複数の情報単位により構成されている複数のインターリーブドユニットと、各前記情報単位に対応して記録位置情報及び映像有無情報を含む検索情報と、が記録されている情報記録媒体であって、前記記録位置情報が前記記録情報の再生時間軸上において一の前記情報単位からみて所定範囲に存在する他の前記情報単位の位置を示し、前記映像有無情報が前記記録位置情報によって前記位置が示される前記情報単位における前記映像情報の有無を示し、一の前記インターリーブドユニット内においては、一又は複数の前記情報単位が完結するように構成されている情報記録媒体から情報を再生する情報再生方法であって、制御信号に基づいて前記情報記録媒体から検出された検出信号を復調し、復調信号を出力する検出復調工程と、前記復調信号から前記検索情報を抽出する抽出工程と、前記抽出された検索情報に基づいて、前記制御信号を出力する制御工程と、を備える。
【手続補正８】
【補正対象書類名】明細書
【補正対象項目名】００１７
【補正方法】変更
【補正の内容】
【００１７】
上記の課題を解決するために、請求項２６に記載の発明は、映像情報を含む記録情報に対して所定の信号処理を施して処理記録情報を生成すると共に、前記処理記録情報を構成する情報単位毎に記録位置情報及び映像有無情報を含む検索情報を生成する信号処理工程と、前記処理記録情報と前記検索情報とを多重して多重情報を出力する多重工程と、を備え、前記記録位置情報は、前記記録情報の再生時間軸上において一の前記情報単位からみて所定範囲に存在する他の情報単位の位置を示し、前記映像有無情報は、前記記録位置情報によって前記位置が示される前記情報単位における前記映像情報の有無を示し、一又は複数の前記情報単位により一のインターリーブドユニットが構成され、前記一のインターリーブドユニット内においては、一又は複数の前記情報単位が完結するように構成されている。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】
【手続補正３５】
【補正対象書類名】明細書
【補正対象項目名】０１８９
【補正方法】削除
【補正の内容】
【手続補正３６】
【補正対象書類名】明細書
【補正対象項目名】０１９０
【補正方法】削除
【補正の内容】
【手続補正３７】
【補正対象書類名】明細書
【補正対象項目名】０１９１
【補正方法】削除
【補正の内容】
【手続補正３８】
【補正対象書類名】明細書
【補正対象項目名】０１９２
【補正方法】削除
【補正の内容】
【手続補正３９】
【補正対象書類名】明細書
【補正対象項目名】０１９３
【補正方法】削除
【補正の内容】
【手続補正４０】
【補正対象書類名】明細書
【補正対象項目名】０１９４
【補正方法】削除
【補正の内容】
【手続補正４１】
【補正対象書類名】明細書
【補正対象項目名】０１９５
【補正方法】削除
【補正の内容】
【手続補正４２】
【補正対象書類名】明細書
【補正対象項目名】０１９６
【補正方法】削除
【補正の内容】
【手続補正４３】
【補正対象書類名】明細書
【補正対象項目名】０１９７
【補正方法】削除
【補正の内容】
【手続補正４４】
【補正対象書類名】明細書
【補正対象項目名】０１９８
【補正方法】削除
【補正の内容】
【手続補正４５】
【補正対象書類名】明細書
【補正対象項目名】０１９９
【補正方法】削除
【補正の内容】
【手続補正４６】
【補正対象書類名】明細書
【補正対象項目名】０２００
【補正方法】削除
【補正の内容】
【手続補正４７】
【補正対象書類名】明細書
【補正対象項目名】０２０１
【補正方法】削除
【補正の内容】